(57)【要約】【課題】複数の照明装置を並べて床面を照明する場合でも、床面全体を均一に照明することができる照明装置用反射笠と、この反射笠を用いた照明装置を提供すること。【解決課題】点状光源２０を取付け可能な取付部１１と、点状光源２０が発する光を反射する反射部１２とを備えた反射笠１において、反射部１１の横断面形状を四角形状に形成した。【選択図】図１
2010092611.tif 000002
【特許請求の範囲】
【請求項１】
点状光源を取付け可能な取付部と、該取付部に取り付けた点状光源が発する光を反射する反射部とを備えた照明装置用反射笠であって、
前記反射部の横断面形状が四角形状に形成されていることを特徴とした反射笠。
【請求項２】
前記反射部が、前記点状光源の光軸を囲むように並ぶ複数の反射素片が互いに連結されて構成されている請求項１に記載の反射笠。
【請求項３】
前記反射素片の側辺部に耳部が形成されており、各反射素片の耳部と該反射素片に隣り合う他の反射素片の耳部とが接合されている請求項２に記載の反射笠。
【請求項４】
前記反射部の横断面形状が長方形状に形成され、
前記取付部が、複数の点状光源を該反射部の横断面形状の長辺方向に並べて取付け可能に形成されている請求項１〜請求項３のいずれかに記載の反射笠。
【請求項５】
請求項１〜請求項４のいずれかに記載の反射笠と、該反射笠の取付部に取り付けられた点状光源と、を備えたことを特徴とする照明装置。
【発明の詳細な説明】
【技術分野】
【０００１】
本発明は、照明装置用反射笠、及びこの反射笠を用いた照明装置に関する。
【背景技術】
【０００２】
周知のとおり、工場、体育館、ホール等の高天井には、放電ランプ等が発する高輝度光を反射笠で反射させて床面を照らす天井用照明装置が使用されている（例えば、下記の特許文献１参照）。
【０００３】
しかしながら、従来の天井用照明装置は、その反射笠の横断面形状が略円形状に形成されていたため、床面に対する照射領域の形状が略円形状となっていた。したがって、図９に示すように、複数の照明装置Ｌを用いて大面積の床面Ｆを照らす場合、所定の照度を満たした複数の照射領域Ａが互いに重なり合う、重複領域Оが必然的に生じることとなり、たとえ個々の照明装置Ｌが床面を均一に照らすことができたとしても、複数の照明装置Ｌによって床面Ｆ全体を均一に照らすことができない難点があった。
【特許文献１】特開２００４−３４９２３５号公報
【発明の開示】
【発明が解決しようとする課題】
【０００４】
本発明は、従来の照明装置に上記のような難点があったことに鑑みて為されたもので、複数の照明装置を並べて大面積の床面を照明する場合であっても、床面全体を均一に照明することができる照明装置用反射笠と、この反射笠を用いた照明装置を提供することを課題とする。
【課題を解決するための手段】
【０００５】
本発明に係る反射笠は、点状光源を取付け可能な取付部と、該取付部に取り付けた点状光源が発する光を反射する反射部とを備えた照明装置用反射笠であって、前記反射部の横断面形状が四角形状に形成されていることを特徴としている。
【０００６】
なお、本明細書において、「点状光源」とは、直管形蛍光灯等の線状光源や、環形蛍光灯等の環状光源を除いた光源をいい、いわゆる電球形蛍光灯を含むものである。
【０００７】
また、本発明に係る反射笠は、前記反射部が、前記点状光源の光軸を囲むように並ぶ複数の反射素片が互いに連結されて構成されていることを特徴としている。
【０００８】
また、本発明に係る反射笠は、前記反射素片の側辺部に耳部が形成されており、各反射素片の耳部と該反射素片に隣り合う他の反射素片の耳部とが接合されていることを特徴としている。
【０００９】
また、本発明に係る反射笠は、前記反射部の横断面形状が長方形状に形成され、前記取付部が、複数の点状光源を該反射部の横断面形状の長辺方向に並べて取付け可能に形成されていることを特徴としている。
【００１０】
また、本発明に係る照明装置は、上記の反射笠と、この反射笠の取付部に取り付けられた点状光源と、を備えたことを特徴としている。
【発明の効果】
【００１１】
本発明に係る反射笠及び照明装置によれば、その反射部の横断面形状が四角形状に形成されているので、点状光源が発する光を床面に対して略正方形状に照射することができ、床面に対する照射領域の形状を略正方形状とすることができる。したがって、複数の照明装置を用いて大面積の床面を照らす場合であっても、所定の照度を満たす複数の照射領域同士が必然的に重なり合うようなこともなく、複数の照明装置によって床面全体を均一に照らすことが可能となる。
【００１２】
また、点状光源の光軸を囲むように並ぶ複数の反射素片が互いに連結されて反射部が構成された反射笠及び照明装置によれば、簡単に組み立てることができ、反射笠及び照明装置をより安価に市場に提供することができ、また、反射部の横断面形状の形状変更を簡単に行うことができる。
【００１３】
また、耳部同士が接合されて隣り合う反射素片同士が互いに連結された反射笠及び照明装置によれば、反射素片の鏡面に連結接合部が表れることがなく、連結接合部による反射効率の損失がない。
【００１４】
また、反射部の横断面形状が長方形状に形成され、取付部が複数の点状光源を該反射部の横断面形状の長辺方向に並べて取付け可能に形成された反射笠及び照明装置によれば、床面に対しより照度の高い長方形状の照射領域を得ることができる。
【発明を実施するための最良の形態】
【００１５】
本実施形態の照明装置１０は、図１に示すように、反射笠１と、点状光源２と、反射笠１に点状光源２を取り付けるための支持具３と、反射笠１を天井等に吊り下げるための吊下具４と、から構成されている。
【００１６】
反射笠１は、図１〜図５に示すように、点状光源２を取付け可能な取付部１１と、取付部１１に取り付けた点状光源２が発する光を反射する反射部１２とから構成されている。取付部１１は、反射部１２の基端部に開設された取付開口部１１０から成り、また、反射部１２の先端部には、点状光源２の光を放射する放射開口部１２０が形成されている。図１に示すように、照明装置１０として構成したとき、反射部１２の放射開口部１２０には、枠材１３が取り付けられる。
【００１７】
本実施形態の反射笠１は、点状光源２の光軸Ｃ（図１参照）に対して軸対称に形成されている。即ち、図４の平面図に示すように、反射笠１の取付部１１及び反射部１２は、光軸Ｃに垂直な横断面形状が正方形状に形成され、取付開口部１１０及び放射開口部１２０の横断面形状も正方形状に形成されている。
【００１８】
また、本実施形態の反射笠１は、図４に示すように、光軸Ｃを囲むように並ぶ計４枚の同形状の反射素片１２１同士が互いに連結されて構成されている。各反射素片１２１は、図６の展開図に示すように、側辺部に複数の耳部１２２が形成されている。そして、各反射素片１２１は、所定位置で多段に曲げ加工され、図２に示すように、傾斜角度がそれぞれ異なる計５段の反射傾斜部１２１Ａ〜１２１Ｅが形成されている。本実施形態の反射素片１２１は、アルミ板材から成り、その反射面はアルミ板材の表面にチタン・シリコンがコーティングされて鏡面として形成されている。また、反射素片１２１の反射傾斜部１２１Ａ〜１２１Ｅの形状、大きさ、傾斜角度等は、設置すべき天井の高さや照明領域の大きさ等に応じて適宜に設定することができる。
【００１９】
これら計４枚の反射素片１２１が、各反射素片１２１の耳部１２２と、この反射素片１２１に隣り合う他の反射素片１２１の耳部１２２とがリベット１２３で接合されて互いに連結されている。こうして、計４枚の反射素片１２１により、反射笠１の取付部１１及び反射部１２が構成されている。
【００２０】
点状光源２は、上記反射笠１の取付部１１に支持具３を介して取り付けられている。本実施形態では、点状光源２として、メタルハロゲンランプを使用しているが、点状光源２として、水銀ランプ、蛍光ランプ、キセノンランプ等の各種のランプを採択することができる。この点状光源２の種類、形状、大きさ等に応じて、最適な支持具３を適宜、反射笠１の取付部１１に固定し、この支持具３を介して点状光源２を反射笠１に取り付ける。
【００２１】
また、本実施形態では、固定具３の上端部に、反射笠１を天井に吊り下げるための吊下具４を設けているが、吊下具４の代わりに、反射笠１を天井に埋め込み設置するための埋込具を設けるようにしてもよい。
【００２２】
このように本実施形態の反射笠１及び照明装置１０によれば、その反射部１２及び放射開口部１２０の横断面形状が正方形状に形成されているので、点状光源２０から直接照射される光や反射部１２で反射される光を、床面に対し略正方形状に放射することができ、床面に対する照射領域の形状を略正方形状とすることができる。したがって、図７に示すように、複数の照明装置１０を用いて大面積の床面Ｆを照らす場合において、所定の照度を満たす複数の照射領域Ａ同士が必然的に重なり合うようなこともなく、複数の照明装置１０によって床面Ｆ全体を均一に照らすことが可能となる。
【００２３】
しかも、本実施形態の反射笠１は、光軸Ｃを囲むように並ぶ複数の反射素片１２１同士を互いに連結して構成することができるので、反射笠１を簡単に組み立てることができ、反射笠１及び照明装置１０をより安価に市場に提供することができる。
【００２４】
また、本実施形態の反射笠１は、耳部１２２同士を重ねてリベット１２３で接合することによって、隣り合う反射素片１２１同士を連結しているので、反射素片１２１の反射傾斜部１２１Ａ〜１２１Ｅの鏡面に、リベット１２３などの連結接合部が表れることがなく連結接合部による反射効率の損失がない。
【００２５】
以上、本実施形態の反射笠１及び照明装置１０について説明したが、本発明はその他の形態でも実施することができる。
【００２６】
例えば、図８に示す反射笠５のように構成しても良い。反射笠５は、反射部５２の横断面形状が長方形状に形成されている点に特徴がある。反射笠５は、上記実施形態の反射笠１を構成する計４枚の反射素片１２１のうちの互いに対向する計２枚の反射素片１２１の代わりに、反射素片１２１よりも横幅のみが大きく形成された計２枚の反射素片１２４を用いるだけで簡単に組み立てることができる。この反射笠５においても、上記実施形態の反射笠１と同様、反射素片１２１と反射素片１２４とは、耳部１２２同士がリベット１２３により接合されて互いに連結されている。
【００２７】
この反射笠５によれば、床面に対する照射領域の形状を略長方形状とすることができ、そして、この反射笠５を用いた照明装置を複数用いて大面積の床面を照らす場合においても、所定の照度を満たす複数の照射領域同士が必然的に重なり合うようなこともなく、複数の照明装置で床面全体を均一に照らすことができる。
【００２８】
また、図８に示すように、反射笠５の長方形状の取付部５１に、反射部５２の横断面形状（長方形状）の長辺方向に並べて複数の点状光源２０を取り付けることもできる。このことで、より照度の高い長方形状の照射領域を得ることができる。
【００２９】
また、上記実施形態では、反射素片１２１を多段に曲げ加工して計５段の反射傾斜部１２１Ａ〜１２１Ｅを形成しているが、本発明はこれに限定されるものではなく、反射素片１２１を所定の曲率で湾曲加工するようにしてもよい。
【００３０】
また、本発明はその趣旨を逸脱しない範囲内で、当業者の知識に基づいて種々の改良、修正、変形を加えた態様で実施し得るものである。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施してもよい。
【図面の簡単な説明】
【００３１】
【図１】本実施形態の照明装置の一部断面概略正面図である。
【図２】本実施形態の反射笠の正面図である。
【図３】本実施形態の反射笠の側面図である。
【図４】本実施形態の反射笠の平面図である。
【図５】本実施形態の反射笠の底面図である。
【図６】本実施形態の反射笠を構成する一の反射素片の展開図である。
【図７】本実施形態の照明装置の床面に対する照射領域の形状を示す模式図である。
【図８】本発明に係る実施変形例の反射笠の平面図である。
【図９】従来の照明装置の床面に対する照射領域の形状と、複数の照射領域同士の重複領域を示す模式図である。
【符号の説明】
【００３２】
１０  照明装置
１、５  反射笠
１１、５１  取付部
１２、５２  反射部
１２１、１２４  反射素片
１２２  耳部
２  点状光源
Ｃ  光軸
Ａ  照射領域
Ｆ  床面
【図１】
2010092611.tif 000003
【図２】
2010092611.tif 000004
【図３】
2010092611.tif 000005
【図４】
2010092611.tif 000006
【図５】
2010092611.tif 000007
【図６】
2010092611.tif 000008
【図７】
2010092611.tif 000009
【図８】
2010092611.tif 000010
【図９】
2010092611.tif 000011